【手続補正書】
【提出日】平成20年8月29日(2008.8.29)
【手続補正１】
【補正対象書類名】明細書
【補正対象項目名】発明の名称
【補正方法】変更
【補正の内容】
【発明の名称】部品実装作業補助用のコンピュータ読取り可能な記憶媒体
【手続補正２】
【補正対象書類名】明細書
【補正対象項目名】特許請求の範囲
【補正方法】変更
【補正の内容】
【特許請求の範囲】
【請求項１】  コンピュータ読取り可能な記憶媒体であって、表示装置の画面上における部品の実装位置の表示を制御するために、コンピュータに、
作業対象となる製品基部のイメージを少なくとも示すイメージ画像を表示装置で表示させる手順と、
部品実装作業工程に対応して前記表示装置で表示される前記製品基部イメージ画像上における実装対象部品の実装位置を指示する表示を行う手順と、
前記表示装置で表示される前記製品基部イメージ画像上における既に実装済みの部品の位置と未実装の部品の位置とを異なる表示態様で区別して表示するように制御する手順と
を実行させるためのプログラムを記憶してなる記憶媒体。
【請求項２】  コンピュータ読取り可能な記憶媒体であって、製品基部に実装すべき部品毎の該基部上の実装位置を示す実装位置データと各部品に関する所定の紹介情報からなる部品データとを記憶する記憶手段を使用して、表示装置の画面上における部品の実装位置の表示を制御するために、コンピュータに、
作業対象となる製品基部のイメージを少なくとも示すイメージ画像を表示装置で表示させる手順と、
操作者に所望の部品種類を指定させる手順と、
指定された部品種類に関する部品データを前記記憶手段から読み出して前記表示装置に表示させる手順と、
該指定された部品種類のみに関する部品の実装作業工程に対応して前記記憶手段から前記実装位置データを読み出して該実装位置データに応じた実装位置を指示する表示が前記製品基部イメージ画像上で行われるように前記表示装置での表示を制御する手順と
を実行させるためのプログラムを記憶してなる記憶媒体。
【請求項３】  コンピュータ読取り可能な記憶媒体であって、部品の実装作業の手順情報を作成して記憶手段に記憶させるために、コンピュータに、
所定の製品基部に対する部品の実装作業過程を記録した動画像情報の供給を受ける手順と、
前記供給された動画像情報から、複数段階の作業工程の各々に対応して、作業見本となる所望の静止画像及び／又は動画像を抽出する手順と、
前記抽出された画像を、各実装作業工程に対応づけて記憶手段に記憶させる手順と
を実行させるためのプログラムを記憶してなる記憶媒体。
【請求項４】  前記プログラムは、更に、前記コンピュータに、前記抽出された画像に対応して任意のコメント情報を付加する手順を実行させるものであり、前記記憶手段に記憶させる前記手順では、前記抽出された画像及び付加されたコメント情報を、各実装作業工程に対応づけて前記記憶手段に記憶させることを特徴とする請求項３に記載の記憶媒体。
【請求項５】  前記プログラムは、更に、前記コンピュータに、前記作業見本となる画像情報を前記記憶手段から読み出して表示装置に表示させる手順を実行させることを特徴とする請求項３又は４に記載の記憶媒体。
【手続補正３】
【補正対象書類名】明細書
【補正対象項目名】０００７
【補正方法】変更
【補正の内容】
【０００７】
【課題を解決するための手段】
請求項１に係る本発明は、コンピュータ読取り可能な記憶媒体であって、表示装置の画面上における部品の実装位置の表示を制御するために、コンピュータに、作業対象となる製品基部のイメージを少なくとも示すイメージ画像を表示装置で表示させる手順と、部品実装作業工程に対応して前記表示装置で表示される前記製品基部イメージ画像上における実装対象部品の実装位置を指示する表示を行う手順と、前記表示装置で表示される前記製品基部イメージ画像上における既に実装済みの部品の位置と未実装の部品の位置とを異なる表示態様で区別して表示するように制御する手順とを実行させるためのプログラムを記憶してなる。
【手続補正４】
【補正対象書類名】明細書
【補正対象項目名】０００８
【補正方法】変更
【補正の内容】
【０００８】
本発明によると、作業者は既に実装した部品とこれから実装する部品の確認や、作業者がこれから実装しようとする部品と表示装置に表示された部品情報や回路記号との間の整合性の確認などを簡単にすばやく行うことができる。作業対象の製品基部例えばプリント配線基板のイメージ画像が表示され、実装位置データに基づいて製品基部イメージ画像上の実装対象部品の実装位置を所定の表示態様で表示すると共に、既に実装済みの部品と未実装の部品とを区別できるように、これらを異なった表示態様で表示する。こうすると、作業者は実装しようとする部品の実装位置を的確に捉えることができるだけでなく、該部品に関する所定の紹介情報（例えば実装向きなどの情報）の表示物を参照することで、該部品の実装向きなどの実装時における注意事項を確認しながら部品を実装することができるようになる。また、既に実装済みの部品と未実装の部品とを区別して表示するようにしたことから、作業者による部品の実装し忘れなどを防止することができるようにもなる。
【手続補正５】
【補正対象書類名】明細書
【補正対象項目名】０００９
【補正方法】変更
【補正の内容】
【０００９】
請求項２に係る本発明は、コンピュータ読取り可能な記憶媒体であって、製品基部に実装すべき部品毎の該基部上の実装位置を示す実装位置データと各部品に関する所定の紹介情報からなる部品データとを記憶する記憶手段を使用して、表示装置の画面上における部品の実装位置の表示を制御するために、コンピュータに、作業対象となる製品基部のイメージを少なくとも示すイメージ画像を表示装置で表示させる手順と、操作者に所望の部品種類を指定させる手順と、指定された部品種類に関する部品データを前記記憶手段から読み出して前記表示装置に表示させる手順と、該指定された部品種類のみに関する部品の実装作業工程に対応して前記記憶手段から前記実装位置データを読み出して該実装位置データに応じた実装位置を指示する表示が前記製品基部イメージ画像上で行われるように前記表示装置での表示を制御する手順とを実行させるためのプログラムを記憶してなる。
また、請求項３に係る本発明は、コンピュータ読取り可能な記憶媒体であって、部品の実装作業の手順情報を作成して記憶手段に記憶させるために、コンピュータに、所定の製品基部に対する部品の実装作業過程を記録した動画像情報の供給を受ける手順と、前記供給された動画像情報から、複数段階の作業工程の各々に対応して、作業見本となる所望の静止画像及び／又は動画像を抽出する手順と、前記抽出された画像を、各実装作業工程に対応づけて記憶手段に記憶させる手順とを実行させるためのプログラムを記憶してなる。これにより、所定の製品基部に対する部品の実装作業過程をビデオ撮影してこれを動画像情報として供給するだけで、そのビデオ画像を見ながら、ユーザが自由に各作業工程に対応して作業見本となる所望の静止画像及び／又は動画像を抽出し記憶することでし、実装作業見本となる作業指示データを簡便に作成することができる。従って、作業者に対しわかりやすい作業指示を提供する作業指示データ（例えば作業指示マニュアル）を個別のユーザサイドで簡単に作成することができるようになる。
【手続補正６】
【補正対象書類名】明細書
【補正対象項目名】００１０
【補正方法】変更
【補正の内容】
【００１０】
また、請求項５は、前記プログラムは、更に、前記コンピュータに、前記作業見本となる画像情報を前記記憶手段から読み出して表示装置に表示させる手順を実行させることを特徴とする。これにより、動画像で作業手順の見本を提示することができるので、未熟練の作業者でも効率的な実装作業を行うことができるようになる。
本発明は、装置の発明として構成し、実施することができるのみならず、方法の発明として構成し、実施することができる。また、本発明は、コンピュータ又はＤＳＰ等のプロセッサのプログラムの形態で実施することができるし、そのようなプログラムを記憶した記憶媒体の形態で実施することもできる。